(57)【要約】  電池（１）に接続されたアクチュエータ（２）が設けられた独立型システムの使用方法は、電池（１）の所定の電流での放電期間において、電池の温度である温度（Ｔｂ）を測定し、その測定温度（Ｔｂ）に基づいて第１のしきい値電圧（Ｖ１）を決定する。次に、電池の端子における電圧（Ｖｂ）を測定する。通常モードと劣化時モードとのうちから少なくとも選択される動作モードを以下のように決定する。すなわち、測定電圧（Ｖｂ）が第１のしきい値電圧（Ｖ１）よりも高い場合には、この独立型システムは通常動作モード（Ｍｎ）となり、測定電圧（Ｖｂ）が第１のしきい値電圧（Ｖ１）よりも低い場合には、独立型システムは劣化時動作モード（Ｍｄ）となり、通常モード（Ｍｎ）から劣化時モード（Ｍｄ）へと移行する際には、動作している間電池（１）により供給される電流を減らす。
2013504300.tif 000002
【特許請求の範囲】
【請求項１】
電池（１）に接続されたアクチュエータ（２）を備える独立型システムの使用方法であって、前記電池（１）の放電期間には、前記システムのための１つの通常動作モード（Ｍｎ）と１つの劣化時動作モード（Ｍｄ）とを少なくとも備え、
前記方法は、以下のステップである、
−  前記電池の温度である温度（Ｔｂ）を測定するステップと、
−  前記測定温度（Ｔｂ）に基づいて第１のしきい値電圧（Ｖ１）を決定するステップと、
−  前記電池の端子の電圧（Ｖｂ）を測定するステップと、
−  以下のように動作モード（Ｍｎ、Ｍｄ）を決定するステップであって、前記測定電圧（Ｖｂ）が前記第１のしきい値電圧（Ｖ１）よりも高い場合には、前記独立型システムは前記通常動作モード（Ｍｎ）となり、前記測定電圧（Ｖｂ）が第１のしきい値電圧（Ｖ１）よりも低い場合には、前記独立型システムは前記劣化時動作モード（Ｍｄ）となるように決定され、前記通常モード（Ｍｎ）から前記劣化時動作モード（Ｍｄ）へと移行する際には、動作している間前記電池（１）により供給される電流を減らすようにする、ステップと、
を備えることを特徴とする方法。
【請求項２】
前記電池（１）の前記端子の電圧（Ｖｂ）の測定は、前記アクチュエータ（２）が動作していない際に行われる、ことを特徴とする請求項１に記載の方法。
【請求項３】
温度の関数であり、前記第１のしきい値電圧（Ｖ１）よりも低い第２のしきい値電圧（Ｖ２）と関連する臨界動作モード（Ｍｃ）を備え、前記測定電圧（Ｖｂ）が前記第１のしきい値電圧（Ｖ１）と前記第２のしきい値電圧（Ｖ２）との間にある場合には、前記独立型システムは劣化時動作モード（Ｍｄ）となり、前記測定電圧（Ｖｂ）が前記第２のしきい値電圧（Ｖ２）よりも低い場合には、前記独立型システムは前記臨界モード（Ｍｃ）となり、前記劣化時動作モード（Ｍｄ）から前記臨界モード（Ｍｃ）へと移行する際には、前記電池（１）から供給される前記電流を減らす、ことを特徴とする請求項１又は２に記載の方法。
【請求項４】
前記電池の製造者により規定された値よりも高く、前記第１のしきい値電圧（Ｖ１）よりも低い動作しきい値電圧（Ｖｆ）を備え、前記動作しきい値電圧（Ｖｆ）のもとでは、前記独立型システムは、前記電池（１）の再充電の制御のみをもたらすことを特徴とする請求項２に記載の方法。
【請求項５】
前記電池の製造者により規定された値よりも高く、前記第２のしきい値電圧（Ｖ２）よりも低い動作しきい値電圧（Ｖｆ）を備え、前記動作しきい値電圧（Ｖｆ）のもとでは、前記独立型システムは、前記電池（１）の再充電の制御のみをもたらすことを特徴とする請求項３に記載の方法。
【請求項６】
最低温度（Ｔｍｉｎ）を備え、前記最低温度のもとでは、前記独立型システムの使用は禁止されることを特徴とする請求項１から５のいずれか1つに記載の方法。
【請求項７】
最高温度（Ｔｍａｘ）を備え、前記最高温度のもとでは、前記独立型システムの使用は禁止されることを特徴とする請求項１から６のいずれか1つに記載の方法。
【発明の詳細な説明】
【技術分野】
【０００１】
本発明は、電池に接続されたアクチュエータ（actuator）を備える独立型システム(stand-alone system)の使用方法に関する。
【背景技術】
【０００２】
エネルギーの節約や再生可能エネルギーへの移行の傾向は、特に、充電及び放電プロセスにおけるものといった、電池の新しい使用方法における進歩を含むものである。これまでの充電及び放電プロセスのための電流制御システムは、再生可能エネルギーからの制約に適したものではない。
【０００３】
現存する独立型システムの主なものは、電池の放電プロセスをレギュレータにより制御している。このレギュレータの目的は、電池の不可逆な物理的劣化を引き起こすことがある電池の過放電（deeply discharged）を防ぐことにある。
【０００４】
米国特許４，９５２，８６２には、電池を用いることができる実際の残り時間を予測する方法が記載されている。この方法は、電池が停止するまでの残り時間を決定するために、一定間隔で、電圧と電池を流れる電流の強度とを測定するものである。この方法は、ユーザーの電池の使用の仕方に従って、独立性を有する残りの時間（remaining time autonomy）についてユーザーに伝えることができる。この方法は、電池の動作時間を最適化することはできない。
【０００５】
仏国特許文献２７１４７７２には、装置のための電源電池（supply battery）が記載されている。電池は、正極端子と負極端子と共通（universal）端子とを備える。共通端子は、装置が、電池を制御することを可能にする。
【発明の概要】
【発明が解決しようとする課題】
【０００６】
本発明の目的は、システムそれ自体から独立した独立型システムの電池の使用を最適化することであり、同時に、独立性（autonomy）が低下した際にユーザーに伝えることである。
【０００７】
この目的は、添付のクレームにより達成することができ、詳細には、以下のことから達成することができる、すなわち、電池の放電期間には、システムのための１つの通常動作モード（normal operating mode）と１つの劣化時動作モード（deteriorate operating mode）とを少なくとも備え、方法は、以下のステップである、
−  電池の温度である温度を測定するステップと、
−  測定温度に基づいて第１のしきい値電圧(voltage threshold)を決定するステップと、
−  電池の端子の電圧を測定するステップと、
−  以下のように動作モードを決定するステップであって、測定電圧が第１のしきい値電圧よりも高い場合には、この独立型システムは通常動作モードとなり、測定電圧が第１のしきい値電圧よりも低い場合には、独立型システムは劣化時動作モードとなるように決定され、通常モードから劣化時モードへと移行する際には、動作している間電池により供給される電流を減らすようにするステップと、を備える。
【０００８】
この発明によれば、電池の端子における電圧の測定は、アクチュエータが動作していない際に行われる。この改良によれば、方法は、温度に依存し、第１のしきい値電圧よりも低い第２のしきい値電圧と関連する臨界動作モード（critical operating mode）を備え、測定電圧が第１のしきい値電圧と第２のしきい値電圧との間にある場合には、独立型システムは劣化時動作モードとなり、測定電圧が第２のしきい値電圧よりも低い場合には、独立型システムは臨界モードとなり、劣化時モードから臨界モードへと移行する際には、電池から供給される電流を減らす。
【図面の簡単な説明】
【０００９】
【図１】図１は、本発明の方法により用いられるシステムのブロックダイアグラムを示す。
【図２】図２は、温度と第１のしきい値電圧との関係を示したテーブルである。
【図３】図３は、−１０℃の温度においてシステムの動作可能回数を示す曲線である。
【図４】図４は、システムが連続的に動作している場合に、０℃における電池の端子の電圧の変化を示す曲線である。
【図５】図５は、システムが連続的に動作している場合に、２５℃における電池の端子の電圧の変化を示す曲線である。
【図６】図６は、システムが連続的に動作している場合に、５５℃における電池の端子の電圧の変化を示す曲線である。
【図７】図７は、定電流における、温度に応じた動作回数を示す曲線である。
【図８】図８は、動作モードにより制御していない場合において、動作回数に応じた電池の端子の電圧の変化を示すものである。
【図９】図９は、本発明による動作モードで制御した場合において、動作回数に応じた電池の端子の電圧の変化を示すものである。
【図１０】図１０は、２つの定電流において数年間をシミュレートした場合の、電池の動作可能回数を示したものである。
【図１１】図１１は、通常モードにおける２５℃の温度下での、電池の端子の電圧の時間変化を示したものである。
【図１２】図１２は、電池の放電プロセスの制御のための動作ダイアグラムを示したものである。
【図１３】図１３は、動作モードの変化のヒシテリシスを示したものである。
【発明を実施するための形態】
【００１０】
他の利点及び特徴は、本発明の特有の実施形態についての下記の説明により、さらに明らかにされる。本発明の特有の実施形態は、単なる例示であって、本発明を限定するものではない。本発明の特有の実施形態は、添付の図面により示される。
【００１１】
独立型システムは、それ自体を独立したやり方で制御するシステムとして説明する。図１に示される特有な実施形態によれば、独立型システムは、供給のための電池１と接続されているエンジンといったアクチュエータ２を備えることができる。電池１は、再充電するために、再生可能なエネルギー源３と接続されることができる。
【００１２】
電池１が放電期間にある間、独立型システムは、少なくとも１つの通常動作モードＭｎと、１つの劣化時動作モードＭｄとを備える。好ましくは、電流はシステムにより与えられる。通常モードＭｎにある電池によりアクチュエータに供給された電流は、電池の通常電流と対応する。劣化時モードＭｄは、システムのパフォーマンスを犠牲にして、独立型システムの良好な独立性を維持することを可能にし、電池１により出力される電流の強度を劣化時モードＭｄよりも通常モードＭｎの方が高くなるようにする。
【００１３】
方法は以下のようなステップである、
−  電池１の温度である温度Ｔｂを測定するステップと、
−  測定温度Ｔｂに基づいて第１のしきい値電圧Ｖ１を決定するステップと、
−  電池の端子の電圧Ｖｂを測定するステップであって、電圧Ｖｂを安定させるために、アクチュエータ２が動作していない際に行われることが好ましいステップと、
−  以下のように動作モードを決定するステップであって、測定電圧Ｖｂが第１のしきい値電圧Ｖ１よりも高い場合には、この独立型システムは通常動作モードＭｎとなり、測定電圧Ｖｂが第１のしきい値電圧Ｖ１よりも低い場合には、独立型システムは劣化時動作モードＭｄとなるように決定され、通常モードＭｎから劣化時動作モードＭｄへと移行する際には、動作している間電池１により供給される電流を減らすようにするステップと、
を備える。
【００１４】
好ましくは、電流の減少は、システムの独立性を高めるように大幅に行う。例えば、通常モードＭｎから劣化時モードＭｄへと移行する際、動作中の電池により供給される電流を、少なくとも２０％減少させる。
【００１５】
電池における温度Ｔｂの測定は、電池の中もしくは近傍に位置する温度センサ４により行われる。
【００１６】
第１のしきい値電圧Ｖ１の決定は、以下に説明するようなテーブルにより行うことができ、このテーブルは、複数の温度の値又は温度範囲と、第１のしきい値電圧Ｖ１の値とを備える。テーブルは、与えられた独立型システムのための標準電池から導き出すことができる。もちろん、当業者により、電池の測定温度Ｔｂに対する第１のしきい値電圧Ｖ１を得ることができる方法を最適化しても良い。第１のしきい値電圧Ｖ１は、各モードにおける所望の動作回数に応じて標準電池から得ることができる。
【００１７】
電池の温度Ｔｂの測定は、電池の初期劣化に対する温度の影響を考慮することができる。低い温度においては、電池の内部インピーダンスが上昇し、キャリアの移動度が減少し、このことは、定電流下における放電電圧を減少させ、電池により供給されることができる電流の全体量を制限する。一方、高い温度においては、劣化寄生反応（deteriorating parasitic reaction）が盛んになる。言い換えると、温度に応じた電池の振る舞いが大きく異なる。この電池の振る舞いは、例えば図３から６に示される。図３は、−１０℃の電池温度において、エンジンが連続的に動作している場合に、電池の端子の電圧の時間変化を示す。曲線の各ピークは、動作していない場合の電池の端子の電圧に対応する高い値と、動作している場合の電池の端子の電圧に対応する低い値とを有する。この図において得られる動作は、２．１Ａｈの容量と１．２Ｖの通常電圧とを有する蓄電池（accumulator）を含むＮｉＭｈ電池により供給された３０秒間の２Ａの定電流に対応する。動作中は、図３から６において、電池の端子の電圧が１．１Ｖの動作しきい値電圧（operating voltage threshold）Ｖｆに達した場合は、完全に放電したとみなされ、再充電しなくてはならない。−１０℃の温度の場合には、電池が放電したとみなされる前に、電池は６回（ピークの数）動作することができる。
【００１８】
図４から６においては、図３と同様の曲線が示されているが、電池温度は０℃、２５℃、及び５５℃である。これらの図によれば、温度が上昇するにつれて、電池の全体の放電量が増加するまで、動作可能回数も増加することが明らかである。実際には、０℃（図４）においては６４回動作することができ、２５℃（図５）においては９７回動作することができる。図６に示すように、電池の温度が非常に高くなった場合には、電池が完全に放電される前に７１回動作するように、傾向が逆転することが明らかである。このことは、図７に示されるような、温度に応じて電池の動作可能回数は電池が停止するまでに変化し、曲線が−１０℃から約２０℃までの間増加しそれ以降は減少するような、試験値の合成により確認される。独立型システムの動作モードを決定するために用いられる第１のしきい値電圧Ｖ１は、測定温度Ｔｂに応じて与えられる。
【００１９】
電池１により供給可能な電流の強度の減少は、エンジンの動作回数の最適化と独立型システムの独立性の最適化とを可能にする。例えば、しきい値を定義するために用いられる蓄電池と同じ１０個の蓄電池を含む電池を形成する。さらに、試験の間に用いられるアクチュエータと異なる消費量を有するアクチュエータと接続する。従って、通常モードＭｎにおいては、電池１により出力される電流は、２Ａの電流にするように制限することができ、次いで、劣化時モードにおいては１Ａの電流に制限する。この最適化は、図８及び図９において見ることができる。図８は、全体が放電するまでの連続した動作に対する、２５℃における、電池の端子の電圧の時間変化を示すものである。図９は、図８と同様であるが、瞬間ｔ１において電池に流れる電流の５０％の減少（２Ａから１Ａへの）を伴うモードの変化があった場合の違いを伴うものである。図９と図８とに示される曲線を比較すると、独立型システムの独立性が改善されたことが明らかである。
【００２０】
従って、温度と測定電圧とに応じて独立型システムの動作プロセスを分割することは、動作時間が徐々に増加することを可能にする。この増加は独立型システムにとっては重要なものであり、システムが絶えることのない電源に接続することができないためである。実際には、電池の再充電は、通常、例えば光パネルや風力や水力タービンといった再生可能なエネルギーに依存しているからである。電池が常に再充電可能な状況ではないように、これらのエネルギー源は、変化し、断続的なものである。従って、電池１の再充電の可能性を増加させるために、独立型システムが中断する瞬間に、切り離すことが重要である。さらに、このモードの変化は、電池の放電が始まったことと、電池の使用を制限すべきこととをユーザーに示すことを可能にする。実際には、電流の変化は、独立型システムの振る舞いの変化を観察することを可能にする。
【００２１】
電池１を再充電することを可能にするために、動作しきい値電圧Ｖｆは、電池の製造者が推奨する最低電圧よりも高くすることができる。もちろん、動作しきい値電圧は第１のしきい値Ｖ１よりも低いものである。動作しきい値電圧Ｖｆと電池製造者が推奨する最低値との間においては、独立型システムが、電池の再充電を制御し、再生可能エネルギーの電源３と電池１との間の接点（interface）に形成される充電器（Charger）（不図示）のために、残った容量を維持する。
【００２２】
さらに、動作期間の間、電池１の電流強度の制限は、長期的な独立性に有益な影響を与えることができる。図１０は、完全に再充電した際に、数年間のシミュレートに応じた電池の動作回数の変化を示している。上に示される曲線は２．１Ａにおける動作回数を示し、下に示される曲線は４．２Ａにおける動作回数を示す。数年にわたり、２．１Ａの曲線は、動作回数について比較的一定に維持されるが、４．２Ａの曲線は、一様に減少する（constant decrease）。この減少は、放電を素早く行った際に電池の中に生成した劣化寄生反応（deteriorating parasitic reactions）に起因するものである。寄生反応は、特に放電の最後にある電池を劣化させるが、通常モードＭｎから、電池により供給される電流を制限する劣化時モードＭｄへと移行することにより、電池の物理的劣化を減少させることができ、ひいては数年間の使用にわたって良好な独立性を維持することができる。通常モードから劣化時モードへと移行する際に電流を減少させることにより、独立性の維持を改善し、電池の寿命を改善する。
【００２３】
この改良によれば、さらにこの方法は、電池の温度Ｔｂの関数であり、第１のしきい値電圧Ｖ１よりも低い第２のしきい値電圧Ｖ２と関連する臨界動作モードＭｃを備える。図２のテーブルは、与えられた温度又は与えられた温度範囲に対する、第２のしきい値電圧Ｖ２を示す追加入力を得ることができる。従って、測定電圧が第１のしきい値電圧Ｖ１と第２のしきい値電圧Ｖ２との間にある場合には、独立型システムは劣化時動作モードＭｄとなり、測定電圧が第２のしきい値電圧よりも低い場合には、独立型システムは臨界モードとなる。通常モードＭｎから劣化時モードＭｄへと移行する際と同様に、劣化時モードＭｄから臨界モードＭｃへと移行する際には、電池から供給される電流を減らし、独立型システムの独立性を高める。好ましくは、この電流の減少は、少なくとも２０％である。臨界モードへの移行は、図９のｔ２の瞬間として示される。
【００２４】
図１１は、通常モードにおいて、２５℃の温度の下での電池の動作を示すものである。この曲線は、第１のしきい値電圧Ｖ１と第２のしきい値電圧Ｖ２とを決定することができる。通常モードにおいては、電池は９８回動作することができる。しきい値を決定するために、通常モードＭｎにおいては８０回動作し、劣化時モードＭｄにおいては１２回動作し、臨界モードにおいては６回動作するとみなす。図１１においては、電圧ピークの頂点は、例えば動作していないときといった、２つの動作の間の静止時にある電池の電圧を示す。第１のしきい値電圧Ｖ１は、８０番目の動作後の動作が行われていない際に測定され、第２のしきい値電圧Ｖ２は、９２番目の動作後の動作が行われていない際に測定される。従って、第１のしきい値電圧Ｖ１は１．２７Ｖであり、第２のしきい値電圧Ｖ２は１．２２Ｖである。次いで、１つのモードから他のモードへの移行は、電池１の端子の電圧Ｖｂの測定によって決定され、好ましくは、２つの動作の間に測定は行われる。もちろん、アプリケーションに応じて、各モードにおける所望の動作回数に応じてしきい値を決定することができる。
【００２５】
第２のしきい値電圧Ｖ２が動作しきい値電圧Ｖｆとともに用いられる場合には、動作しきい値電圧Ｖｆは第２のしきい値電圧Ｖ２よりも低く、製造者により規定された値よりも高い。従って、動作しきい値電圧Ｖｆのもとでは、独立型システムは電池の再充電の制御のみをもたらす。
【００２６】
他の実施形態によれば、方法は、最低温度Ｔｍｉｎを備え、最低温度以下では、独立型システムの使用は禁止される。
【００２７】
さらなる他の実施形態によれば、これまでの実施形態を組み合わせることが可能であり、方法は、最高温度Ｔｍａｘを備え、最高温度以上では、独立型システムの使用は禁止される。
【００２８】
システムを制御する特有の例としては、最高動作温度Ｔｍａｘと最低動作温度Ｔｍｉｎとを合わせた変形例や改良を含むことができ、図１２により集約される。図１２においては、温度に対する電圧が示され、ハッチングされた領域により、通常、劣化時、及び、臨界動作モードが示されている。様々な変形例や実施形態を考慮すると、温度が最低温度Ｔｍｉｎよりも低くなった場合、温度が最高温度Ｔｍａｘよりも高くなった場合、もしくは、測定電圧Ｖｂが動作しきい値電圧Ｖｆよりも低くなった場合、すぐに独立型システムが動作しないものとなる。０℃以下においては、独立型システムは、劣化時モードＭｄ又は臨界モードＭｃとしてのみ機能することができる。実際には、通常モードにおいて、電池の放電は非常に急速に行われる（図３参照）。０℃以下においては、電池の電圧が第２のしきい値電圧Ｖ２よりも高い場合には（Ｔ＜０）、動作モードは劣化時モードＭｄであり、さもなければ、独立型システムは、臨界モードＭｃとして働く。正の温度においては、第１のしきい値電圧はＶ１（Ｔ０−５５）に対応し、第２のしきい値電圧はＶ２（Ｔ０−５５）に対応する。
【００２９】
温度条件が極端である場合には、正の温度の場合と負の温度の場合とともに、温度Ｔｍｉｎよりも高い最低臨界温度（minimum critical temperature）Ｔｍｉｎｃ以下の場合、及び、温度Ｔｍａｘよりも低い最高臨界温度（maximum critical temperature）Ｔｍａｘｃ以上の場合、動作モードを臨界モードとすることができる。図１２においては、Ｔｍａｘｃは５５℃に等しい。
【００３０】
もちろん、当業者が、独立型システムのタイプや使用方法に応じて、様々なしきい値を最適化することもできる。
【００３１】
これまで説明したように、温度は電圧に変化を生じさせる。従って、電池がモードの変化に近い状態にあるとき、温度の変化は、モードの変化を伴いながらしきい値の上下に振動するような電圧振動を生じさせる。このことは、２つの動作の間の電流の継続的変動（fluctuation）、又は、電池の静止期間（relaxation phase）の間に起きる。システム制御における不安定性が生じることによるこの現象と、動作モードがたびたび変化することとを避けるために、１つのモードから他のモードへ移行するための電圧ヒシテリシスを定義することができる。このようなヒシテリシスは図１３に示される。従って、図１３においては、通常モードＭｎから劣化時モードＭｄへ移行は、測定電圧Ｖｎｄにおいて行われ、劣化時モードＭｄから通常モードＭｎへの移行は、電圧Ｖｎｄよりも高い電圧Ｖｄｎで行われる。劣化時モードＭｄから臨界モードＭｃへの移行は、電圧Ｖｎｄよりも低い電圧Ｖｄｃにおいて行われ、臨界モードＭｃから劣化時モードＭｄへの移行は、電圧ＶｎｄとＶｄｎとの間、又は、電圧ＶｄｃとＶｎｄとの間にある電圧Ｖｃｄにおいて行われる。電圧が最低動作電圧Ｖｆに到達した場合には、独立型システムのアクチュエータはブロック（禁止、遮断）され、電圧が電圧Ｖｄｃ以上に再びなった場合に、ブロックは解除される。電圧値のヒシテリシスは、モードの変化する際の十分な安定性とユーザーのための安定した動作とを確保するために与えられる。
【００３２】
同様のヒシテリシスは、電池の温度が負になった場合に、１つのしきい値のみを伴った変化を起こすものである（２つの動作モードのみが与えられている）。
【００３３】
様々なデータを処理することができ、この方法の実施形態及び変形例を実施することができるメモリとプロセッサとが設けられたコントローラーにより方法は制御される。
【００３４】
方法のための上記の制御規則は、異なる目的のための様々なシステムに適用することができる。
【００３５】
例えば、ＬＥＤパネルといった照明システムの場合には、ＬＥＤより生じた発光量（luminous flow）は、それに流れる電流に比例する。電池がほとんど放電したことを、光強度が２０％減少することにより、ユーザーに示すようにしたい場合には、２０％の電流を減少させる必要がある。この場合、通常モードから劣化時モードへの移行の結果、電池の放電電流は２０％減少することとなる。この照明システムがラップトップに組み込まれた場合であって、電池の充電量が少なくなったことをユーザーに示すようにしたい場合には、スクリーンの照明システムの光強度を減少させることが良い方法である。ＰＣの最上位機種においては、システムの消費電力は約２５０Ｗであり、スクリーンの消費電力は約２５Ｗである。ＬＥＤに供給される電力を２０％減少させることにより、スクリーンで消費される電力は５Ｗ減少することとなる。この５Ｗは、システム全体で消費される電力の２％にあたる。この場合、通常モードから劣化時モードへと移行することにより、電池の放電電流が２％減少することとなる。この一例は、システムの運用を妨げることなく、システムの消費電力の２０％を減少させることが、おそらく不可能であることを示していることに留意すべきである。
【００３６】
独立型家庭用シャッターの場合には、様々なモデルを考慮した際に主に期待されることは、ユーザーへ知らせることである。実際には、そのデザインやその損失（乾き摩擦）の性質のために、シャッターのエンジンに供給される電力の減少は、動かすために必要なエネルギーの深刻な減少をもたらすことはない。劣化時モードにおける電流の定義は、使用の制約の数と関連する。機能を満足させつつも悪いコンディションの下で電池が働いていることにユーザーが気付くように、十分にゆっくりとシャッターが動作することが必要である。実際に、動作時間を２倍又は３倍にすることができる。このようにするために、制御電流の大きさは、２０から４０％に減少させることができる。
【００３７】
最後に説明する例としては、電気自動車に供給するための電池である。独立性を高め、再充電ステイションへユーザーが到達することを可能にするために、システムの電力消費を下げることが求められる。しかしながら、ユーザーの安全性について譲歩することなく、エンジンに供給する電力を減少させることは不可能である（例えば高速道路といった状況における、車の最高加速能力）。システムに供給される最低電力は、従って、物理的要求に依存しており（最低速度に到達することができるような必要電力）、その名目上の電力（nominal power）には依存していない。９０ｋｍ／ｈ（高速道路で安全に走ることができる最低速度と考えられる）で走るためには、約１５ｋＷの電力が必要である。自動車の名目上の電力が４５ｋＷである場合には、約６７％の電流を減少することができ、自動車の名目上の電力が３０ｋＷである場合には、５０％の電流を減少させることができる。
【図１】
2013504300.tif 000003
【図２】
2013504300.tif 000004
【図３】
2013504300.tif 000005
【図４】
2013504300.tif 000006
【図５】
2013504300.tif 000007
【図６】
2013504300.tif 000008
【図７】
2013504300.tif 000009
【図８】
2013504300.tif 000010
【図９】
2013504300.tif 000011
【図１１】
2013504300.tif 000012
【図１２】
2013504300.tif 000013
【図１０】
2013504300.tif 000014
【図１３】
2013504300.tif 000015
【国際調査報告】
2013504300.tif 000016
2013504300.tif 000017
2013504300.tif 000018
2013504300.tif 000019